(57)【要約】      （修正有）【課題】ハンドルロック錠において、キーを使わないワンタッチに近い操作で施錠できるようにして、施錠の際の手間を省く。【解決手段】錠ケース本体１の一方の端面に、内蔵した施錠機構の鍵穴３を臨ませ、他方の端面に開口部４を設け、開口部内に、外端に操作つまみ６を備えた施錠操作杆５を復元ばね７と共に挿入し、施錠操作杆の内端部の外周に切欠部８とレバー部９を設け、この内端部の外周に、掛止部１１ａと凹部１１ｂを具えて押上げばねに付勢される制止ブロック１１を係合させ、レバー部に、押圧ばね１２に付勢されてロックリング１３の掛止凹部１４と嵌合するロックレバー１５を従動可能に連結し、常時は、施錠操作軸の内端部の外周を掛止ブロックの掛止部に掛止させて、レバー部の回転とロックレバーの摺動と、前記施錠機構の内端に連設した回転レバーを制止させて、ハンドルロック錠を開錠状態に保持させるように構成したハンドルロック錠。【選択図】図１
2006131085.tif 000002
【特許請求の範囲】
【請求項１】
縦筒部にハンドルポストをロックする自転車用ハンドルロック錠において、
錠ケース本体の一方の端面に、内蔵した施錠機構の鍵穴を臨ませ、他方の端面に、上記施錠機構に連通する開口部を設け、この開口部内に、外端に操作つまみを備えて回転する施錠操作杆を復元ばねと共に挿通し、
この施錠操作杆の内端部の外周に設けた切欠部とレバー部を、掛止部と凹部とを具えて、常時押上げばねに付勢される制止ブロックに係合し、
上記レバー部に、押圧ばねに付勢されてロックリングの掛止凹部と嵌合するロックレバーを従動可能に連設するとともに、施錠操作杆の内端部の外周を制止ブロックの掛止部に掛止させて、上記レバー部の回転とロックレバーの従動と、前記施錠機構の内端に連設した回転レバーを掛止させてハンドルロック錠を開錠状態に保持させ、
前記施錠操作杆の施錠操作により、上記切欠部を上記制止ブロックの凹部に嵌合させて、上記レバー部と回転レバーの掛止を解除するとともに、該レバー部の回転により前進するロックレバーを、ハンドルポストと一体回転するロックリングの外周の切欠部内に嵌合させて、ハンドルポストをロックするように構成したことを特徴とするハンドルロック錠。
【請求項２】
前記施錠操作杆を施錠操作する前記操作つまみに、内端に備えた屈伸ばねと昇降ピンとに支承されて該つまみの外周に突出する押釦を設け、この押釦の一側に形成した突起を、ケース本体の前記開口部の口縁と操作つまみの裏側とにそれぞれ設けた掛止溝に嵌合させて、常時は上記施錠操作杆の回転を阻止し、施錠操作に際しては、上記屈伸ばねに抗して押釦を押し込んで、上記押釦の突起と操作つまみの裏側の掛止溝との嵌合を外すことによって前記操作つまみの施錠回転操作が可能になるように構成した安全装置を付設したことを特徴とする請求項１記載のハンドルロック錠。
【請求項３】
前記操作つまみの外周に指針部を設け、前記開口部の口縁に、上前記操作つまみの指針部が施錠位置に回動していることを表示する施錠表示部を設けたことを特徴とする請求項１記載のハンドルロック錠。
【発明の詳細な説明】
【技術分野】
【０００１】
本発明は、自転車の縦筒部にハンドルポストをロックさせるようにした自転車用ハンドルロック錠に関し、一方の端面に鍵穴を臨出させた錠ケース本体の他端面からの施錠操作を可能にすることにより、キーによる施錠操作を不要にしたことを特長とする。
【背景技術】
【０００２】
従来の自転車用ハンドルロック錠には、特許文献１、２のように、錠ケース本体の左右または上下の一方の端面に、内蔵した施錠機構の鍵穴を臨出させ、鍵穴のある一方向からのキー操作により施錠したり開錠するようにしたものが一般的である。また、特許文献３のように、自転車に、タイヤを施錠するロックとハンドルロック錠との２個のロックを取り付けて共通のキーで施錠と開錠をするようにした通称ワンキー・ツーロック型式の自転車用錠装置がある。
【０００３】
【特許文献１】特開２０００−１６３６１号公報（例えば、第１頁、図１参照）
【特許文献２】特開２０００−８６７４号公報（例えば、第１頁、図１参照）
【特許文献３】特開２００３−８２９０６号公報（例えば、第１頁、図１参照）
【０００４】
上記先願によれば、いずれもハンドルロック錠の施錠に際してはキーを使用しなければならない点が共通している。
そのために、急用のある場合とか出勤時などには、所持しているキーを取り出すことと、取り出したキーを鍵穴に差し込んで施錠することとが必要で、時間に余裕がなく気忙しいときとか照明の暗い場合などに、ハンドルロック錠の施錠操作に手間取るという使用上の不便があった。
【発明の開示】
【発明が解決しようとする課題】
【０００５】
以上のことから本発明が解決しようとする課題は、自転車用ハンドルロック錠において、キーを使わないワンタッチに近い操作で施錠できるようにして、施錠の際の手間を省けるようにすることにある。
【課題を解決するための手段】
【０００６】
そこで本発明は、上記の課題を解決するために、縦筒部にハンドルポストをロックする自転車用ハンドルロック錠において、
錠ケース本体の一方の端面に、内蔵した施錠機構の鍵穴を臨ませ、他方の端面に、上記施錠機構に連通する開口部を設け、この開口部内に、外端に操作つまみを備えて回転する施錠操作杆を復元ばねと共に挿通し、
この施錠操作杆の内端部の外周に設けた切欠部とレバー部を、掛止部と凹部とを具えて、常時押上げばねに付勢される制止ブロックに係合し、
上記レバー部に、押圧ばねに付勢されてロックリングの掛止凹部と嵌合するロックレバーを摺動可能に連設するとともに、施錠操作杆の内端部の外周を制止ブロックの掛止部に掛止させて、上記レバー部の回転とロックレバーの摺動と、前記施錠機構の内端に連設した回転レバーを掛止させてハンドルロック錠を開錠状態に保持させ、
前記施錠操作杆の施錠操作により、上記切欠部を上記制止ブロックの凹部に嵌合させて、上記レバー部と回転レバーの掛止を解除するとともに、該レバー部の回転により前進するロックレバーを、ハンドルポストと一体回転するロックリングの外周の切欠部内に嵌合させて、ハンドルポストをロックさせるように構成したことを特徴とするハンドルロック錠を提供するものである。
【発明の効果】
【０００７】
本発明に係るハンドルロック錠は、鍵穴を臨ませた錠ケース本体の反対側の端面の操作つまみを所定方向に所定角度回転させるだけで、キーを使用しない施錠ができる。したがって、駐輪に際してキーを取り出し、鍵穴にキーを差し込んで施錠する手間が省けて操作時間の短縮ができる。本発明は、上記のようにして前記従来の課題を解決したものである。
【発明を実施するための最良の形態】
【０００８】
自転車用ハンドルロック錠において、錠ケース本体の一方の端面に、内蔵した施錠機構の鍵穴を臨ませ、他方の端面に、上記施錠機構に連通する開口部を設け、この開口部内に、外端に操作つまみを備えて回転する施錠操作杆を復元ばねと共に挿通し、この施錠操作杆の内端部の外周に設けた切欠部とレバー部を、掛止部と凹部とを具えて、常時押上げばねに付勢される制止ブロックに係合し、上記レバー部に、押圧ばねに付勢されてロックリングの掛止凹部と嵌合するロックレバーを摺動可能に連設するとともに、施錠操作杆の内端部の外周を制止ブロックの掛止部に掛止させて、上記レバー部の回転とロックレバーの摺動と、前記施錠機構の内端に連設した回転レバーを掛止させてハンドルロック錠を開錠状態に保持させておく。
前記施錠操作杆の施錠操作により上記切欠部を回転し、上記制止ブロックの凹部に嵌合させて、レバー部と回転レバーの掛止を解除するとともに、該レバー部の回転により前進するロックレバーをハンドルポストと一体回転するロックリングの外周の切欠部内に嵌合させて、ハンドルポストをロックさせるように構成する。
また、前記操作つまみに、内端に備えた屈伸ばねと昇降ピンとに支承されて該つまみの外周に突出する押釦を設け、この押釦の一側に形成した突起をケース本体の開口部の口縁と操作つまみの裏側とに設けた掛止溝とにそれぞれ嵌合させて、常時は上記施錠操作杆の回転を阻止し、施錠操作に際しては、上記屈伸ばねに抗して押釦を押し込んで、上記突起と操作つまみの裏側の掛止溝との嵌合を外すことによって前記操作つまみの施錠回転操作が可能になるようにした安全装置を付設する。
さらに、操作つまみの外周に指針部を設け、ケース本体の開口部の口縁に、操作つまみの指針部が施錠位置に回動していることを表示する施錠表示部を設けて、外見からハンドルロック錠を施錠したかどうかが分かるようにする。
【実施例】
【０００９】
以下に、本発明の実施例を図面について説明する。
図１は、実施例の分解斜視図、
図２は、同上の平面図、
図３は、同上の左側面図、
図４は、同上の背面図、
図５は、開錠状態の側面図、
図６は、施錠状態の側面図、
図７は、底面図、
図８は、錠機構部分の縦断面図、
図９は、開錠状態を示すＡ−Ａ断面図、
図１０は、同上の施錠状態を示す縦断面図、
図１１は、開錠状態を示すＢ−Ｂ断面図、
図１２は、同上の施錠状態を示す断面図、
図１３は、開錠状態を示すＣ−Ｃ断面図、
図１４は、開錠状態を示すＤ−Ｄ断面図、
【００１０】
図において、１は錠ケース本体、２は錠ケース本体１の一方の端面（図６左側）に鍵穴３を臨ませて内蔵されたシリンダー錠型の錠機構、４は、錠ケース本体１の一方の端面に開口して錠機構２に連通する開口部、５は、外端に操作つまみ６を備えて開口部４内に回転可能に挿入した施錠操作杆、７は、施錠操作杆５の復元ばねである。
【００１１】
施錠操作杆５は、内端部の外周に切欠部８とレバー部９とを具え、常時押上げばね１０に付勢される制止ブロック１１と係合している。
施錠操作杆５のレバー部９には、押圧ばね１２に付勢されてロックリング１３の掛止凹部１４と嵌合するロックレバー１５を従動可能に連結する。
また、制止ブロック１１は、平面形状を具えた掛止部１１ａと、掛止部１１ａに隣接して施錠操作杆５の内端部の切欠部８と係合する凹部１１ｂとを有する。
【００１２】
押圧ばね１２に付勢される制止ブロック１１は、常時は（開錠時には）、施錠操作杆５のの内端部の外周を掛止部１１ａに当接させるとともに、シリンダー錠型の錠機構１の内端に連結した回転レバー１６の内端面に突出させたピン１７と係合していて、上記レバー部９の回転とロックレバー１５の従動と、回転レバー１６の回転とを制止して、ハンドルロック錠を開錠状態に保持している（図９参照）。
また、施錠操作杆５のレバー部９は、押圧ばね１２に抗してロックレバー１５を後退位置（開錠位置）に制止されている（図１３参照）。
【００１３】
施錠操作杆５を所定方向と所定角度に回転する施錠操作によって、同軸５の内端部外周の切欠部８は制止ブロック１１の凹部１１ｂと嵌合し、同時に、制止ブロック１１の制止から開放された回転レバー１６のピン１７が、押上げばね１０に付勢される掛止部１１ａに押し上げられて、通常のシリンダー錠型の錠機構における施錠位置に変位する（図１０参照）。一方、施錠操作杆５の施錠操作にともなって、レバー部９が図示反時計回りに回転し、押圧ばね１２に付勢されているロックレバー１５をロックリング１３の掛止凹部１４に嵌合させハンドルロック錠を施錠する（図１２参照）。
【００１４】
次ぎに、このハンドルロック錠の開錠操作について説明すると、上記施錠状態において、回転レバー１６のピン１７は施錠位置に変位しているので、通常のハンドルロック錠と同様に鍵穴３にキー３１を差し込んで開錠方向に回せば、回転レバー１６と共に制止ブロック１１が復位し、続いて、復元ばね７の復元力でロックレバー１５が開錠位置に後退し、施錠操作杆５の内端部の外周と切欠部８を掛止部１１ａに当接させた開錠状態に復帰する（図１３参照）。
【００１５】
この実施例において、施錠操作杆５を施錠操作する操作つまみ６には、自転車の使用中などに妄りに施錠操作杆５が回転しないようにした安全装置Ｓが付設されている。
安全装置Ｓは、図８に示すように、操作つまみ６の外周に設けた受け穴１８と、この受け穴１８内に嵌装した屈伸ばね１９と昇降ピン２０とに支承されて突出する押釦２１と、押釦２１の一側に形成した突起２２とその昇降を誘導する誘導溝２３と、錠ケース本体１の開口部４の口縁と操作つまみ６の裏側とに共通してそれぞれ設けた掛止溝２４、２５とからなり、図８に示す状態から、屈伸ばね１９に抗して押釦２１を誘導溝２３内に押し下げ、押釦２１側の突起２２を操作つまみ６側の掛止溝２５から脱出させることによって初めて操作つまみ６の回転が可能になるように構成されている。
【００１６】
また、操作つまみ６は、図８に示すように、側面に突出する指針部２６を一体に具え、この指針部２６に対応する施錠表示部２７をケース本体１の開口部４の外周に沿って設けて、施錠表示部２７上の指針部２６の位置からハンドルロック錠が施錠状態にあるかどうかを外見できるようにしている。
上記表示部２７は、例えば赤白の２色に色分けして、白色部分に指針部２５が重ね合わされて赤色部分が表示されているときはハンドルロック錠が施錠状態にあることを示すように備える。
この指針部２６と施錠表示部２７との組合わせは、一般に施錠状態が外側からは見えないハンドルロック錠の掛け忘れ防止とか、盗難予防に効果がある。
【００１７】
なお、図中、２８は錠ケース本体１を取り付けて縦筒部に固定される上碗押え、２９は上碗押え２８とロックリング１３との間に介設する鋼球、３０は、施錠操作杆５の内端部のレバー部９を嵌合して、押圧ばね１２に付勢されるロックレバー１５の摺動行程を制限するように該ロックレバー１５の側面に設けた掛止凹部である。
【産業上の利用可能性】
【００１８】
本発明に係るハンドルロック錠は、主として自転車用に用いられ、自転車の縦筒部に取り付けられるが、各部を構成する部材の形状等は、本発明の要旨に沿って実施例の態様に限らない。
【図面の簡単な説明】
【００１９】
【図１】実施例の分解斜視図である。
【図２】施錠状態の一部切欠側面図である。
【図３】同上の左側面図である。
【図４】実施例の開錠状態を示す一部切欠側面図である。
【図５】同上の一部切欠左側面である。
【図６】同上の一部切欠左側面である。
【図７】実施例の分解斜視図である。
【図８】施錠状態の一部切欠側面図である。
【図９】同上の左側面図である。
【図１０】実施例の開錠状態を示す一部切欠側面図である。
【図１１】同上の一部切欠左側面である。
【図１２】実施例の分解斜視図である。
【図１３】施錠状態の一部切欠側面図である。
【図１４】同上の左側面図である。
【符号の説明】
【００２０】
１  錠ケース本体
２  施錠機構
３  鍵穴
４  開口部
５  施錠操作杆
６  操作つまみ
７  復元ばね
８  切欠部
９  レバー部
１０  押上げばね
１１  制止ブロック（１１ａ  掛止部、１１ｂ  凹部）
１２  押圧ばね
１３  ロックリング
１４  掛止凹部
１５  ロックレバー
１６  回転レバー
１７  ピン
Ｓ  安全装置
１８  受け穴
１９  屈伸ばね
２０  昇降ピン
２１  押釦
２２  突起
２３  誘導溝
２４  掛止溝
２５  掛止溝
２６  指針部
２７  施錠表示部
２８  上碗押え
２９  鋼球
３０  掛止凹部
３１  キー
【図１】
2006131085.tif 000003
【図２】
2006131085.tif 000004
【図３】
2006131085.tif 000005
【図４】
2006131085.tif 000006
【図５】
2006131085.tif 000007
【図６】
2006131085.tif 000008
【図７】
2006131085.tif 000009
【図８】
2006131085.tif 000010
【図９】
2006131085.tif 000011
【図１０】
2006131085.tif 000012
【図１１】
2006131085.tif 000013
【図１２】
2006131085.tif 000014
【図１３】
2006131085.tif 000015
【図１４】
2006131085.tif 000016